(57)【要約】【課題】市販のペットボトルに容易に装着でき、装着した際、逆向きにしても容易に落下することなく、それでいて使用時には着脱に容易で、コップを常に清潔な状態で携帯することができるコップ付きプラスチックボトルとコップを提供する。【解決手段】ボトル本体１とコップ２との間に、コップ２の嵌め込み操作に伴ってコップ２の内面がボトル本体１の外面に係止する一方、逆のコップ２の引き抜き操作に伴ってコップ２の内面とボトル本体１の外面の係止が外れる構成としたコップ抜止用係止構造が設けられているコップ付き飲料液用プラスチックボトル。【選択図】        図１
2005014911.tif 000002
【特許請求の範囲】
【請求項１】
飲料液の注ぎ口が頭部に開設されていると共に注ぎ口を塞ぐ蓋体が開閉可能に被着されているプラスチック製のボトル本体と、このボトル本体の頭部から底部に向け逆向きに被せて前記ボトル本体に嵌め込める形状を有するプラスチック製のコップとからなり、前記ボトル本体とコップとの間に、前記コップの嵌め込み操作に伴ってコップの内面が前記ボトル本体の外面に係止する一方、逆のコップの引き抜き操作に伴ってコップの内面と前記ボトル本体の外面の係止が外れる構成としたコップ抜止用係止構造が設けられていることを特徴とするコップ付き飲料液用プラスチックボトル。
【請求項２】
前記コップ抜止用係止構造が、前記ボトル本体の外周面に周方向に沿って連続して形成されている凹条または凸条と、前記コップの内周面に前記ボトル本体の外周面の凹条または凸条と対応する配置で形成されている凸部または凹部とからなり、前記ボトル本体側の凹条と前記コップ側の凸部の嵌め合わせ又は前記ボトル本体側の凸条とコップ側の凹部の嵌め合わせにより、前記コップの内面が前記ボトル本体の外面に係止する構成とした請求項１記載のコップ付き飲料液用プラスチックボトル。
【請求項３】
前記ボトル本体の外周面の凹条または凸条が、前記ボトル本体の外周面を一周するように連続的に形成されているのに加え、前記ボトル本体とコップの嵌め込み部分の横断面形状を共に略真円形とした請求項２記載のコップ付き飲料液用プラスチックボトル。
【請求項４】
前記コップの内周面の凸部または凹部が、周方向に沿って所定間隔をおいて形成されているのに加え、前記コップの内面が前記ボトル本体の外面に係止した状態で前記コップの内面と前記ボトル本体の外面の間に隙間が生じる構成とした請求項２又は３記載のコップ付き飲料液用プラスチックボトル。
【請求項５】
前記ボトル本体に嵌め込まれた前記コップの口縁以下のボトル本体の外表面を覆う断熱材製のカバーが、前記ボトル本体に被着されている請求項１〜４のいずれかに記載のコップ付き飲料液用プラスチックボトル。
【請求項６】
請求項１〜５のいずれか１のコップ付き飲料液用プラスチックボトルに被着可能なコップ。
【発明の詳細な説明】
【０００１】
【発明の属する技術分野】
本発明はコップ付き飲料液用プラスチックボトルとコップに関し、詳しくは、飲料液の注ぎ口が頭部に開設されていると共に注ぎ口を塞ぐ蓋体が開閉可能に被着されているプラスチック製のボトル本体と、ボトル本体の頭部から逆さまに被せてボトル本体に嵌め込める形状を有するプラスチック製のコップとからなるコップ付き飲料液用プラスチックボトルとこれに被着可能なコップに関する。
【０００２】
【従来の技術】
近年、ＰＥＴ（ポリエチレンテレフタレート樹脂）ボトルが、お茶や清涼飲料水などの飲料液用プラスチックボトルとして頻繁に使わている。お茶や飲料水などを予め充填した各種サイズのＰＥＴボトルが市販されていて、利用者は、ＰＥＴボトルを買って持ち歩き、随時にＰＥＴボトルの中のお茶や清涼飲料水を飲んでおり、空になったＰＥＴボトルは捨てられることが多い。
【０００３】
もっとも、空のＰＥＴボトルも、いわゆる水筒として市販されており、利用者は空のＰＥＴボトルを買って自分でお茶や飲料水などをＰＥＴボトルに詰めて持ち歩き、随時にＰＥＴボトルの中のお茶や飲料水を飲んでいる。水筒として市販されているＰＥＴボトルの場合、空になったらお茶や水を詰め直し、繰り返し使われるのが普通である。
【０００４】
このようなＰＥＴボトルの場合、普通、コップを用いることなくラッパ飲みされるので、他の人に分けてあげられないし、マナー上、場所によってラッパ飲みは好ましくないこともある。コップを別に用意して携帯し、ＰＥＴボトルのお茶や水をいったんコップに移してから飲めば、ラッパ飲みをしなくて済む。
【０００５】
そのような事情から、ペットボトルにコップ付きとした発明が提案された（特許文献１）
【０００６】
【特許文献１】
特開平９−２０３４２号公報
【発明が解決しようとする課題】
しかし、上記従来技術では、ペットボトルの外観形状を、コップを装着するための構造に変える必要があり、大量に流通している市販のペットボトルにそのままの形状で装着できないという不便さがあり、強いて市販のペットボトルにコップを用いるとすれば、単にペットボトルにコップを逆向きに重ねて使用できるだけで、簡単に外れ易く、携帯に便利なものではなかった。
【０００７】
そこで、本発明は上記実情に鑑みてなされたものであり、その課題は、市販のペットボトルに容易に装着でき、装着した際、逆向きにしても容易に落下することなく、それでいて使用時には着脱に容易で、コップを常に清潔な状態で携帯することができるコップ付き飲料液用プラスチックボトルとコップを提供することにある。
【０００８】
【課題を解決するための手段】
上記目的は各請求項記載の発明により達成される。すなわち、本発明に係るコップ付き飲料液用プラスチックボトルは、飲料液の注ぎ口が頭部に開設されていると共に注ぎ口を塞ぐ蓋体が開閉可能に被着されているプラスチック製のボトル本体と、ボトル本体の頭部から底部に向け逆向きに被せてボトル本体に嵌め込める形状を有するプラスチック製のコップとからなり、ボトル本体とコップとの間に、コップの嵌め込み操作に伴ってコップの内面がボトル本体の外面に係止する一方、逆のコップの引き抜き操作に伴ってコップの内面とボトル本体の外面の係止が外れる構成としたコップ抜止用係止構造が設けられていることを特徴とする。
【０００９】
本発明のコップ付き飲料液用プラスチックボトル（以下、適宜「飲用プラボトルと略記）の場合、ボトル本体の中に入っている飲料液を飲む時は、ボトル本体の頭部から底部に向け逆向きに被せられてボトル本体の外面に係止しているコップに対し引き抜き操作を行うと、コップ抜止用係止構造による係止が簡単に外れ、ワンタッチでコップがボトル本体から分離できる。そして、ボトル本体の蓋体を外し、注ぎ口から飲料液をコップに注ぎ移して飲む。飲み終わったら使用者は空になったコップをボトル本体の頭部から底部に向け逆向きに被せて、コップをボトル本体へ元通り嵌め込む嵌め込み操作を行うと、コップ抜止用係止構造による係止が掛かってワンタッチでコップをボトル本体に取り付けられる。
【００１０】
このように、本発明の飲用プラボトルではワンタッチで着脱できるプラスチック製のコップがボトル本体に取り付けられているので、利用者が都度コップを用意しなくて済む。しかも、コップを飲用プラボトルに装着する箇所がボトル本体であることから、コップの容量を大きくすることができ利用者に便利である。また、使用しない時はコップがボトル本体の頭部から底部に向け逆向きに被せられていて、コップの口がボトル本体で塞がれたままとなり、コップは常に清潔な状態に保たれるのに加え、コップはボトル本体の外面に係止していて、ボトル本体を持ち運べば常にコップが一緒についてくる。そして、一般に市販のペットボトルのボトル本体には、コップを嵌め込み可能な被係止箇所がリブとして設けられているので、両者は容易に係止できる。
【００１１】
よって、市販のペットボトルに容易に装着でき、装着した際、逆向きにしても容易に落下することなく、それでいて使用時には着脱に容易で、コップを常に清潔な状態で携帯することができるコップ付き飲料液用プラスチックボトルを提供することができた。
【００１２】
本発明の好ましい実施形態として、前記コップ抜止用係止構造が、前記ボトル本体の外周面に周方向に沿って連続して形成されている凹条または凸条と、前記コップの内周面に前記ボトル本体の外周面の凹条または凸条と対応する配置で形成されている凸部または凹部とからなり、前記ボトル本体側の凹条と前記コップ側の凸部の嵌め合わせ又は前記ボトル本体側の凸条とコップ側の凹部の嵌め合わせにより、前記コップの内面が前記ボトル本体の外面に係止する構成とした形態があげられる。
【００１３】
この実施形態によれば、ボトル本体の外周面に周方向に沿って連続して凹条または凸条を形成すると共に、コップの内周面に凸部または凹部をボトル本体の外周面の凹条または凸条と対応する配置で形成することにより、コップ抜止用係止構造を設けられるので、実施が容易である。特にボトル本体もコップもプラスチック製であるので、ボトル本体のプラスチック成形の際にコップ抜止用係止構造の凹条または凸条を同時に一体成形し、コップのプラスチック成形の際にコップ抜止用係止構造の凹部または凸部を同時に一体成形すると、コップ抜止用係止構造が極めて簡単に設けられる。
【００１４】
また、本発明の他の好ましい実施形態として、前記ボトル本体の外周面の凹条または凸条が、前記ボトル本体の外周面を一周するように連続的に形成されているのに加え、前記ボトル本体とコップの嵌め込み部分の横断面形状を共に略真円形とした形態が挙げられる。
【００１５】
この実施形態によれば、ボトル本体とコップの嵌め込み部分の横断面形状が共に略真円形であると、ボトル本体とコップとの間の周方向の位置関係がどのようであっても、ボトル本体にコップが必ず嵌まるのに加え、ボトル本体の外周面の凹条または凸条がボトル本体の外周面を一周するように連続的に形成されていると、ボトル本体とコップとの間の周方向の位置関係がどのようであっても、ボトル本体に嵌まり込んだコップの凸部または凹部がボトル本体の凹条または凸条に必ず嵌まるので、ボトル本体とコップとの間の周方向の位置合わせ無しで、コップをボトル本体に嵌め込んで係止させられる。
【００１６】
さらに、本発明の他の好ましい実施形態として、前記コップの内周面の凸部または凹部が、周方向に沿って所定間隔をおいて形成されているのに加え、前記コップの内面が前記ボトル本体の外面に係止した状態で前記コップの内面と前記ボトル本体の外面の間に隙間が生じる構成とした形態が挙げられる。
【００１７】
この実施形態によれば、コップの内周面の凸部または凹部とボトル本体の外周面の凹条または凸条との嵌め合いが周方向に間隔をおいて形成されているのに加え、コップの内面とボトル本体の外面の間に隙間が生じていて、コップの内周面の凸部または凹部とボトル本体の外周面の凹条または凸条との嵌め合いが飛んでいる（無い）ところでは、コップの内側空間が隙間を介してコップの外側空間と連通した状態となっており、ボトル本体に嵌め込まれたコップの内に飲料液の飲み残しがあっても、飲み残しはコップの内面とボトル本体の外面の間の隙間からコップの外側空間へ着実に放出される。その結果、コップの内に飲料液の飲み残しがあっても、コップ内に留まり続ける飲み残しはなく、その結果、飲み残しでコップが不潔になることを確実に回避することができる。
【００１８】
また、本発明の他の好ましい実施形態として、ボトル本体に嵌め込まれたコップの口縁以下のボトル本体の外表面を覆う断熱材製のカバーがボトル本体に被着されている形態が挙げられる。
【００１９】
この実施形態によれば、ボトル本体に嵌め込まれたプラスチック製のコップがコップの口縁以上のボトル本体の外表面を覆っていると同時に、ボトル本体に被着されている断熱材製のカバーが、コップの口縁以下のボトル本体の外表面を覆っていて、断熱性のあるプラスチック製のコップと断熱材製のカバーとでボトル本体の外表面が覆われているので、ボトル本体に入っている飲料液の温度が変化し難くなる。すなわち、温かい飲料液なら保温することができるし、冷たい飲料液なら保冷することができる。
【００２０】
更に又、本発明に係るコップの特徴構成は、請求項１〜５のいずれか１のコップ付き飲料液用プラスチックボトルに被着可能なことにある。
【００２１】
この構成によれば、市販のペットボトルに容易に装着でき、装着した際、逆向きにしても容易に落下することなく、それでいて使用時には着脱に容易で、コップを常に清潔な状態で携帯することができるコップ付き飲料液用プラスチックボトルに用いるコップを提供することができる。
【００２２】
【発明の実施の形態】
本発明の実施の形態を図面を参照して詳しく説明する。図１は本発明の実施形態に係るコップ付き飲料液用プラスチックボトル（飲用プラボトル）を組み立て状態で示す斜視図、図２は実施形態の飲用プラボトルを分解状態で示す正面図である。
【００２３】
この飲用プラボトルは、お茶や果汁その他各種飲料水などの飲料液の注ぎ口３が頭部に開設されていると共に、注ぎ口３を塞ぐキャップ（蓋体）４が開閉可能に被着されているプラスチック製のボトル本体１と、ボトル本体１の頭部から底部に向けて逆向きに被せてボトル本体１に嵌め込める形状を有するプラスチック製のコップ２とからなる。
【００２４】
ボトル本体１やコップ２の材料となるプラスチックには、ＰＥＴが例示されるが、食品衛生上特に問題がなければＰＥＴ以外のプラスチックを用いてもよい。ボトル本体１やコップ２は、通常、無色あるいは有色の透明のものが適当である。透明であると、ボトル本体１やコップ２の中の飲料液の量が分かり易い。しかし、飲料液の種類によっては変質防止などの理由から特定の色で着色したものが適当な場合もある。また、ボトル本体１も、コップ２も、全体の形が有底円筒状であり、横断面形状をボトル本体１とコップ２の嵌め込み部分を含めて共に略真円形としている。注ぎ口３を塞ぐキャップ４も、ＰＥＴ等のプラスチック製であることが好ましい。このキャップ４をボトル本体１の頭部にネジ込んで取り付けると注ぎ口３が閉じられ、ボトル本体１の頭部にネジ込まれているキャップ４を回転し弛めて取り外すと注ぎ口３が開かれる。
【００２５】
この飲用プラボトルでは、ボトル本体１とコップ２との間に、コップ２の嵌め込み操作に伴ってコップ２の内面がボトル本体１の外面に係止する一方、逆のコップ２の引き抜き操作に伴って、コップ２の内面とボトル本体１の外面の係止が外れる構成としたコップ抜止用係止構造が設けられている特徴を有する。このコップ抜止用係止構造を、図３、図４をも参照しながら詳細に説明する。
【００２６】
図３、図４は、説明の便宜上、コップ２のみが中央で縦断した断面構造で示されており、図３はボトル本体１の外面にコップ２が係止している状態を示す説明図であり、図４はボトル本体１の外面からコップ２が外されている状態を示す説明図である。
【００２７】
すなわち、本実施形態の飲用プラボトルのコップ抜止用係止構造は、図３に示すように、ボトル本体１の外周面に周方向に沿って連続して形成されている凹条５と、コップ２の内周面にボトル本体１の外周面の凹条５と対応する配置で形成されている凸部６とからなり、ボトル本体１側の凹条５とコップ２側の凸部６との嵌め合わせにより、コップ２の内面がボトル本体１の外面に係止する構成としている。
【００２８】
この飲用プラボトルの利用者がボトル本体１の中の飲料液を飲む時は、次のようにする。まず、図３に示すように、ボトル本体１に係止しているコップ２に対し矢印ＲＡの向きに引き抜く操作を行う。そうすると、引き抜き操作に伴ってプラスチック製のボトル本体１又はコップ２がプラスチックの可撓性により弾性変形し、ボトル本体１側の凹条５とコップ２側の凸部６の嵌め合いが速やかに解除して、図４に示すように、ボトル本体１の外面からコップ２をワンタッチで外せる。飲用プラボトルの利用者は、ボトル本体１のキャップ４を外し、注ぎ口３から飲料液を外したコップ２に注ぎ移して飲む。
【００２９】
飲料液を飲み終われば、次は空になったコップ２を、図４に示すように、底部に向けて逆向きにボトル本体１へ、矢印ＲＢの向きに嵌め込む操作を行う。そうすると、嵌め込み操作に伴ってプラスチック製のボトル本体１又はコップ２がプラスチックの可撓性により弾性変形し、図３に示すように、コップ２側の凸部６がボトル本体１側の凹条５へ安定して嵌まり、ボトル本体１にコップ２をワンタッチで取り付けられ元の一体化状態に復帰する。
【００３０】
このコップ抜止用係止構造の場合、ボトル本体１の外周面の凹条５がボトル本体１の外周面を途切れずに一周するようにして連続しているのに加え、前述したように、ボトル本体１もコップ２も、ボトル本体１とコップ２の嵌め込み部分の横断面形状が共に略真円形である。このように、ボトル本体１とコップ２の嵌め込み部分の横断面形状が共に略真円形であると、ボトル本体１とコップ２との間の周方向の位置関係がどのようであっても、ボトル本体１にコップ２が必ず嵌まるのに加え、ボトル本体１の外周面の凹条５がボトル本体１の外周面を途切れずに一周するように連続していると、ボトル本体１とコップ２との間の周方向の位置関係がどのようであっても、ボトル本体１に嵌まり込んだコップ２の凸部６がボトル本体１の凹条５に必ず嵌まるので、ボトル本体１とコップ２との間の周方向の位置合わせすること無しに、コップ２をボトル本体１に嵌め込んで係止させることができる結果、本実施形態の飲用プラボトルは使い勝手がよい。
【００３１】
一方、コップ２の内周面の凸部６は、図５に示すように、周方向に沿って９０°毎に間隔をおいて４個所に形成されているのに加え、図６に示すように、コップ２の内面がボトル本体１の外面に係止した状態で、コップ２の内面とボトル本体１の外面の間に隙間Ｇが生じる構成としている。この場合、図６に示すように、ボトル本体１の外周面の凹条５とコップ２の内周面の凸部６との嵌め合いが飛んでいる（無い）ところでは、コップ２の内側空間ＳＡが隙間Ｇを介してコップ２の外側空間ＳＢと連通した状態となっており、ボトル本体１に元の通りに嵌め込まれたコップ内に飲料液の飲み残しＱがあっても、矢印ＲＣで示すように、飲み残しＱはコップ２の内面とボトル本体１の外面の間の隙間Ｇから、コップ２の外側空間ＳＢへ放出される。その結果、コップ２内に飲料液の飲み残しＱがあっても、コップ内に留まり続ける飲み残しＱはなく、その結果、飲み残しＱによりコップ２の口縁部に雑菌が繁殖するといった不衛生になることを確実に回避できる。
【００３２】
他方、本実施形態の飲用プラボトルでは、図１に示すようにボトル本体１に嵌め込まれたコップ２の口縁以下のボトル本体１の外表面を略全面的に覆う断熱材製のカバー７がボトル本体１にぴったり被着されていることが好ましい。カバー７の材料としては、例えば薄くて柔軟なポリウレタンフォーム、ポリスチレンフォーム、ポリエチレンフォーム、ポリプロピレンフォーム等が例示されるが、これに限られるものではない。
【００３３】
このように、断熱材製のカバー７がボトル本体１に被着されている場合、ボトル本体１に嵌め込まれたプラスチック製のコップ２が、コップ２の口縁より上のボトル本体１の外表面を覆っていると同時に、ボトル本体１に被着されている断熱材製のカバー７が、コップ２の口縁より下のボトル本体１の外表面を覆っていて、断熱性のあるプラスチック製のコップ２と断熱材製のカバー７とでボトル本体１の外表面全体が覆われるので、ボトル本体１に入っている飲料液の温度が変化し難くなる。すなわち、温かい飲料液なら長時間保温できるし、冷たい飲料液なら長時間保冷できる。
【００３４】
上述した構成を有するコップ付き飲料液用プラスチックボトルの場合、ボトル本体１の中に入っている飲料液を飲む時は、ボトル本体１の外面に係止しているコップ２を引き抜く操作を行う。そうすると、ボトル本体１側の凹条５とコップ２側の凸部６の嵌め合いが簡単に解除され、コップ２がワンタッチでボトル本体１から分離できる。次に、ボトル本体１のキャップ４を外し、注ぎ口３から飲料液をコップ２に注ぎ移して飲む。飲み終わったら利用者は空になったコップ２をボトル本体１の頭部から底部に向けた逆向きに被せてコップ２をボトル本体１へ元通り嵌め込む操作を行う。そうすると、ボトル本体１側の凹条５とコップ２側の凸部６が嵌まり、ボトル本体１の外面にコップ２が係止する。したがって、実施形態の飲用プラボトルではワンタッチで着脱できるコップ２がボトル本体１に取り付けられていて、コップ２を別途に用意する必要は全くない。
【００３５】
飲料に供しない時は、コップ２がボトル本体１の頭部から底部に向けた逆向きに被せられていて、コップ２の口がボトル本体１で塞がれたままとなるので、コップ２は常に清潔な状態に保たれるのに加え、コップ２はボトル本体１の外面に一体的に係止していて、持ち運びに便利である。
【００３６】
よって、本実施形態のコップ付き飲料液用プラスチックボトルによれば、コップを別途用意する必要がないうえに、コップ２を常に清潔な状態で手軽に携帯することができる。
【００３７】
また、ボトル本体１側の凹条５とコップ２側の凸部６の嵌め合いを利用したコップ抜止用係止構造は、簡単に設けることができるので実施が容易である。特にボトル本体１もコップ２もプラスチック製であるので、ボトル本体１のプラスチック成形の際にコップ抜止用係止構造の凹条５を同時に一体成形し、コップ２のプラスチック成形の際にコップ抜止用係止構造の凸部６を同時に一体成形すると、コップ抜止用係止構造が極めて簡単に設けられる。
【００３８】
なお、本実施形態の飲用プラボトルの場合、お茶や飲料水などを予め詰めてボトルごと販売することもできるし、空のままで水筒として利用したり販売することもできる。
【００３９】
〔別実施の形態〕
（１）上記の実施形態においては、ボトル本体１側の凹条５とコップ２側の凸部６との嵌め合いを利用したコップ抜止用係止構造が設けられていたが、ボトル本体１側の凹条５を凸条に変えて、コップ２側の凸部６を凹部に変え、ボトル本体１側の凸条とコップ２側の凹部との嵌め合いを利用したコップ抜止用係止構造を設ける他は実施形態と同じ構成の飲用プラボトルが、別実施の形態として挙げられる。
【００４０】
（２）上記の実施形態では、ボトル本体１側の凹条５はボトル本体１の外周面を途切れずに一周するように連続している構成としたが、ボトル本体１側の凹条５がボトル本体１の外周面を所定間隔をおいた構成としてもよい。
【００４１】
（３）上記の実施形態では、コップ２の内周面の凸部６は周方向に沿って所定間隔をおいた構成であったが、コップ２の内周面の凸部６がコップ２の内周面を途切れずに一周するように連続している構成としてもよい。
【００４２】
（４）上記の実施形態では、ボトル本体１もコップ２も横断面形状が共に略真円形であったが、ボトル本体１およびコップ２の横断面形状は、略真円形に限らず、八角形、四角形あるいは三角形など他の形状であってもよい。
【００４３】
特に、コップの形状としては、コップ底部を開口部より小さくしてコップ側面に傾斜をつけるようにすると、飲みやすくなって便利である。
【００４４】
（５）上記の実施形態において、カバー７をボトル本体１に被着しないようにした他は、同一の構成とした飲用プラボトルを別実施の形態として挙げることができる。この形態だと、ボトル本体１全体が透けてみえるので飲用液の残量が一目で分かる。
【００４５】
（６）上記の実施形態では、コップ２の内周面の凸部６がコップ２の口縁近傍に形成されていたが、図７に示すように、コップ２の内周面の凸部６が底の深いコップ２Ａの口縁と底の中間の深さのところに形成されていて、ボトル本体１に底の深いコップ２Ａを付ける構成としてもよい。もっとも、凸部６は強固にボトル本体１側の凹条５と嵌合する必要はなく、バッグ等に収納して飲用プラボトルを搬送する際、ボトル本体１から容易にコップが外れない程度に嵌合されればよい。
【００４６】
また、図７に示すコップの形状は、コップ底部が開口部より小さくなっていてコップ側面が途中から傾斜しており、飲用時にコップの傾斜角度を大きくしなくても、内部の飲用液を飲みほし易くなっていると共に、傾斜したコップ側面の一部に平坦にされた把手部２Ｂが形成されており、飲用液が熱いあるいは冷たい場合であっても、把持し易いように断熱効果を発揮し得るようになっている。この把手部２Ｂの大きさは、指で挟持できればよく、例えば指の第１関節以下程度の深さがあればよい。又、図７では把手部２Ｂを、コップ側壁の一部が押しつぶされたように形成されているが、もとより外方に向けて張り出す構成としてもよい。更に、コップの開口部縁２Ｃは、縁の先端がコップ内側に巻き付けられた、いわゆる縁巻き処理（カーリング加工）されていることが好ましい。このようになっていると、飲用時に違和感がなく、ソフトな感覚で飲用できて都合がよい。
【００４７】
（７）コップの側壁などに各種の表示を印してもよい。例えば、販売店の宣伝広告文や新商品に対する情報、各種イラスト、あるいは第三者の営業上の宣伝文など種々の態様が考えられる。
【００４８】
（８）ボトル本体に断熱材製のカバーを取り付ける例を示したが、コップを紙製の他、断熱性に優れたポリウレタンフォーム、ポリスチレンフォーム、ポリエチレンフォーム、ポリプロピレンフォーム等の材料で構成してもよい。
【図面の簡単な説明】
【図１】実施形態に係る飲用プラボトルを組み立て状態で示す斜視図
【図２】実施形態に係る飲用プラボトルを分解状態で示す正面図
【図３】ボトル本体の外面にコップが係止している時の状態をコップは縦に破断して示す説明図
【図４】ボトル本体の外面からコップが外されている時の状態をコップは縦に破断して示す説明図
【図５】実施形態の飲用プラボトルのコップの平面図
【図６】実施形態の飲用プラボトルのボトル本体とコップの間の隙間を示す説明図
【図７】変形実施の形態に係る飲用プラボトルをコップは縦に破断して示す正面図
【符号の説明】
１            ボトル本体
２，２Ａ      コップ
３            注ぎ口
４            キャップ（蓋体）
５            凹条
６            凸部
７            カバー
Ｇ            隙間
【図１】
2005014911.tif 000003
【図２】
2005014911.tif 000004
【図３】
2005014911.tif 000005
【図４】
2005014911.tif 000006
【図５】
2005014911.tif 000007
【図６】
2005014911.tif 000008
【図７】
2005014911.tif 000009